(57)【要約】ワイヤ通信環境においてトランスミッタ性能を監視することを容易にするシステムおよび方法が、説明される。１つまたは複数のパイロットシンボルに関連する１つまたは複数のメトリクスが、性能を評価するために生成され、使用されることができる。パイロットメトリクスを生成するために、信号アナライザが、トランスミッタの出力をサンプリングするために使用されることができ、そしてそのサンプリングされた信号は、プロセッサに伝搬させられることができる。プロセッサは、サブキャリアについての周波数ドメインチャネル推定値を生成することができる。サブキャリアについての平均チャネル推定値は、各サブキャリアについての雑音またはエラーを決定するために知られているパイロットシンボルと共に使用されることができ、この雑音またはエラーは、パイロットシンボルのおのおのについての雑音分散を生成するために使用されることができる。パイロット変調エラーメトリクスは、平均チャネル推定値および雑音分散に基づいて生成されることができる。
2009533968.tif 000002
【特許請求の範囲】
【請求項１】
ワイヤレス通信環境についてのトランスミッタ性能の評価を容易にするための方法であって、
トランスミッタ信号のデータのユニットについて複数のサブキャリアのおのおのについての平均周波数ドメインチャネル推定値を生成することと、
前記複数のサブキャリアのおのおのについての前記平均周波数ドメインチャネル推定値に基づいてパイロットシンボルに関連する前記複数のサブキャリアのおのおのについてのパイロットシンボル雑音を決定することと、
前記パイロットシンボルに関連する前記複数のサブキャリアのおのおのについての前記パイロットシンボル雑音に少なくとも部分的に基づいて前記パイロットシンボルについての平均雑音分散を決定することと、
前記パイロットシンボルについての前記平均雑音分散と、前記複数のサブキャリアのおのおのについての前記平均周波数ドメインチャネル推定値とに少なくとも部分的に基づいてトランスミッタ性能を示すパイロット変調エラー率を生成することと、
を備える方法。
【請求項２】
前記パイロット変調エラー率は、時分割多重化１（ＴＤＭ１）パイロットシンボル、ワイドエリア識別チャネル（ＷＩＣ）パイロットシンボル、ローカルエリア識別チャネル（ＬＩＣ）パイロットシンボル、および、時分割多重化２（ＴＤＭ２）パイロットシンボル、のうちの少なくとも１つについて生成される、請求項１に記載の方法。
【請求項３】
前記パイロット変調エラー率がデータシンボルについての変調エラー率に匹敵するように、前記パイロットシンボルの前記平均雑音分散をスケーリングすること、をさらに備える請求項１に記載の方法。
【請求項４】
前記トランスミッタ信号を生成するためにトランスミッタからアナログ信号をサンプリングすることと、
パワー増幅の後に前記トランスミッタのアナログ信号をサンプリングすることにより引き起こされるパワー増幅非線形性について前記トランスミッタ信号を訂正することと、
をさらに備える請求項１に記載の方法。
【請求項５】
前記複数のサブキャリアのおのおのについての変調シンボルを決定することをさらに備え、前記変調シンボルは、前記平均周波数ドメインチャネル推定値を生成する際に利用される、請求項１に記載の方法。
【請求項６】
前記複数のサブキャリアのおのおのについての変調シンボルを決定することは、
前記複数のサブキャリアのうちの１つについての前記トランスミッタ信号に対応する複素平面の中のポイントと、少なくとも１つの可能な変調シンボルについての可能な変調シンボルに対応する前記複素平面の中のポイントと、の間の距離を決定することと、
前記信号ポイントに最も近い前記変調シンボルポイントに対応する前記可能な変調シンボルを選択することと、
をさらに備え、前記複数のサブキャリアのうちの前記１つについての前記変調シンボルは、前記選択された変調シンボルである、
請求項５に記載の方法。
【請求項７】
前記平均周波数ドメインチャネル推定値を生成することに先立って周波数ドメインチャネル推定値に対して位相補正を実行すること、をさらに備える請求項１に記載の方法。
【請求項８】
前記トランスミッタ信号は、順方向リンクオンリー（ＦＬＯ）信号である、請求項１に記載の方法。
【請求項９】
ワイヤレス通信環境においてトランスミッタ性能を評価することを容易にする装置であって、
ＲＦ信号のスーパーフレーム上で複数のサブキャリアのおのおのについての平均周波数ドメインチャネル推定値を生成し、パイロットシンボルに関連する各サブキャリアについての雑音を決定し、前記平均周波数ドメインチャネル推定値に少なくとも部分的に基づいて前記パイロットシンボルについての雑音分散を決定し、そして前記パイロットシンボルについての雑音分散に少なくとも部分的に基づいて前記パイロットシンボルについてのパイロット変調エラー率を生成するプロセッサと、
前記プロセッサに結合され、前記パイロットシンボルに関連した情報を記憶するメモリと、
を備える装置。
【請求項１０】
前記ＲＦ信号をサンプリングするトランスミッタに結合された信号アナライザ、
をさらに備える請求項９に記載の装置。
【請求項１１】
前記プロセッサは、前記複数のサブキャリアのおのおのについての変調シンボルを決定し、前記変調シンボルは、前記平均周波数ドメインチャネル推定値を生成する際に利用される、請求項９に記載の装置。
【請求項１２】
前記メモリは、各領域が可能な変調シンボルに対応するコンステレーション図の複数の領域を記憶し、前記プロセッサは、前記ＲＦ信号に対応するコンステレーションポイントが前記複数のサブキャリアのおのおのについて位置づけられる領域を選択し、前記複数のサブキャリアのうちの１つについての前記変調シンボルは、前記選択された領域に対応する前記可能な変調シンボルである、請求項１１に記載の装置。
【請求項１３】
前記プロセッサは、時分割多重化１（ＴＤＭ１）パイロットシンボル、ワイドエリア識別チャネル（ＷＩＣ）パイロットシンボル、ローカルエリア識別チャネル（ＬＩＣ）パイロットシンボル、および、時分割多重化２（ＴＤＭ２）パイロットシンボル、のうちの少なくとも１つについての前記パイロット変調エラー率を生成する、請求項９に記載の装置。
【請求項１４】
前記プロセッサは、前記パイロット変調エラー率が、データシンボルについての変調エラー率に匹敵するように前記パイロットシンボルの平均雑音分散をスケーリングする、請求項９に記載の装置。
【請求項１５】
前記プロセッサは、前記平均周波数ドメインチャネル推定値を生成することに先立って前記周波数ドメインチャネル推定値に対して位相補正を実行する、請求項９に記載の装置。
【請求項１６】
前記パイロットシンボルについての前記パイロット変調エラー率を閲覧するグラフィックユーザインターフェース（ＧＵＩ）をユーザに提供するディスプレイコンポーネント、をさらに備える請求項９に記載の装置。
【請求項１７】
トランスミッタ信号のデータのユニット上で複数のサブキャリアのおのおのについての平均周波数ドメインチャネル推定値を生成するための手段と、
前記複数のサブキャリアのおのおのについての前記平均周波数ドメインチャネル推定値に基づいてパイロットシンボルに関連する前記複数のサブキャリアのおのおのについてのパイロットシンボル雑音を決定するための手段と、
前記パイロットシンボルに関連する前記複数のサブキャリアのおのおのについての前記パイロットシンボル雑音に少なくとも部分的に基づいて前記パイロットシンボルについての平均雑音分散を決定するための手段と、
前記パイロットシンボルについての前記平均雑音分散と、前記複数のサブキャリアのおのおのについての前記平均周波数ドメインチャネル推定値とに少なくとも部分的に基づいてトランスミッタ性能を示すパイロット変調エラー率を生成するための手段と、
を備えるワイヤレス通信装置。
【請求項１８】
前記パイロット変調エラー率がデータシンボルについての変調エラー率に匹敵するように、前記パイロットシンボルの前記平均雑音分散をスケーリングするための手段、をさらに備える請求項１７に記載の装置。
【請求項１９】
前記複数のサブキャリアのおのおのについての変調シンボルを決定するための手段をさらに備え、前記変調シンボルは、前記平均周波数ドメインチャネル推定値を生成する際に利用される、請求項１７に記載の装置。
【請求項２０】
前記複数のサブキャリアのうちの１つについての前記トランスミッタ信号に対応する複素平面の中のポイントと、少なくとも１つの可能な変調シンボルについての可能な変調シンボルに対応する前記複素平面の中のポイントと、の間の距離を決定するための手段と、
前記信号ポイントに最も近い前記変調シンボルポイントに対応する前記可能な変調シンボルを選択するための手段と、
をさらに備え、前記複数のサブキャリアのうちの前記１つについての前記変調シンボルは、前記選択された変調シンボルである、
請求項１９に記載の装置。
【請求項２１】
前記平均周波数ドメインチャネル推定値を生成することに先立って周波数ドメインチャネル推定値に対して位相補正を実行するための手段、をさらに備える請求項１７に記載の装置。
【請求項２２】
前記パイロットシンボルは、時分割多重化１（ＴＤＭ１）パイロットシンボル、ワイドエリア識別チャネル（ＷＩＣ）パイロットシンボル、ローカルエリア識別チャネル（ＬＩＣ）パイロットシンボル、および、時分割多重化２（ＴＤＭ２）パイロットシンボル、のうちの少なくとも１つである、請求項１７に記載の装置。
【請求項２３】
トランスミッタ信号のデータのユニット上で複数のサブキャリアのおのおのについての平均周波数ドメインチャネル推定値を生成することと、
前記複数のサブキャリアのおのおのについての前記平均周波数ドメインチャネル推定値に基づいてパイロットシンボルに関連する前記複数のサブキャリアのおのおのについてのパイロットシンボル雑音を決定することと、
前記パイロットシンボルに関連する前記複数のサブキャリアのおのおのについての前記パイロットシンボル雑音に少なくとも部分的に基づいて前記パイロットシンボルについての平均雑音分散を決定することと、
前記パイロットシンボルについての前記平均雑音分散と、前記複数のサブキャリアのおのおのについての前記平均周波数ドメインチャネル推定値とに少なくとも部分的に基づいてトランスミッタ性能を示すパイロット変調エラー率を生成することと、
のための命令、
を備えるコンピュータプログラムを用いて符号化されたコンピュータ可読媒体。
【請求項２４】
前記プログラムは、
前記パイロット変調エラー率がデータシンボルについての変調エラー率に匹敵するように、前記パイロットシンボルの前記平均雑音分散をスケーリングすること、
のための命令、をさらに備える、
請求項２３に記載のコンピュータ可読媒体。
【請求項２５】
前記プログラムは、
前記平均周波数ドメインチャネル推定値を生成することに先立って周波数ドメインチャネル推定値に対して位相補正を実行すること、
のための命令をさらに備える、
請求項２３に記載のコンピュータ可読媒体。
【請求項２６】
前記プログラムは、
前記複数のサブキャリアのおのおのについての変調シンボルを決定すること、
のための命令をさらに備え、
前記変調シンボルは、前記平均周波数ドメインチャネル推定値を生成する際に利用される、
請求項２３に記載のコンピュータ可読媒体。
【請求項２７】
前記変調シンボルを決定することについての前記命令は、
前記複数のサブキャリアのうちの１つについての前記トランスミッタ信号に対応する複素平面の中のポイントと、少なくとも１つの可能な変調シンボルについての可能な変調シンボルに対応する前記複素平面の中のポイントとの間の距離を決定することと、
前記信号ポイントに最も近い前記変調シンボルポイントに対応する前記可能な変調シンボルを選択することと、
をさらに備え、
前記複数のサブキャリアのうちの前記１つについての前記変調シンボルは、前記選択された変調シンボルである、
請求項２６に記載のコンピュータ可読媒体。
【請求項２８】
前記変調シンボルを決定することについての前記命令は、
前記パイロット変調エラー率をユーザに提示するためのグラフィックユーザインターフェース（ＧＵＩ）を生成すること、
をさらに備える、
請求項２３に記載のコンピュータ可読媒体。
【請求項２９】
ワイヤレス通信環境においてトランスミッタ性能を評価するための命令を実行するプロセッサであって、前記命令は、
トランスミッタ信号のデータのユニット上で複数のサブキャリアのおのおのについての平均周波数ドメインチャネル推定値を生成することと、
前記複数のサブキャリアのおのおのについての前記平均周波数ドメインチャネル推定値に基づいてパイロットシンボルに関連する前記複数のサブキャリアのおのおのについてのパイロットシンボル雑音を決定することと、
前記パイロットシンボルに関連する前記複数のサブキャリアのおのおのについての前記パイロットシンボル雑音に少なくとも部分的に基づいて前記パイロットシンボルについての平均雑音分散を決定することと、
前記パイロットシンボルについての前記平均雑音分散と、前記複数のサブキャリアのおのおのについての前記平均周波数ドメインチャネル推定値とに少なくとも部分的に基づいてトランスミッタ性能を示すパイロット変調エラー率を生成することと、
を備える、
プロセッサ。
【請求項３０】
前記命令は、
前記パイロット変調エラー率がデータシンボルについての変調エラー率に匹敵するように、前記パイロットシンボルの前記平均雑音分散をスケーリングすること、
をさらに備える、
請求項２９に記載のプロセッサ。
【請求項３１】
前記命令は、
前記複数のサブキャリアのおのおのについての変調タイプを決定すること、
をさらに備え、
前記変調シンボルは、前記平均周波数ドメインチャネル推定値を生成する際に利用される、
請求項２９に記載のプロセッサ。
【請求項３２】
前記命令は、
整合した変調タイプを有する前記複数のサブキャリアのサブセットについての多数決に基づいて変調タイプを決定することと、
前記複数のサブキャリアの前記サブセットにおける各サブキャリアについての前記変調タイプを再評価することと、
をさらに備え、
前記サブキャリアの前記変調シンボルは、前記変調タイプと整合していない、
請求項３１に記載のプロセッサ。
【請求項３３】
前記パイロット変調エラー率は、時分割多重化１（ＴＤＭ１）パイロットシンボル、ワイドエリア識別チャネル（ＷＩＣ）パイロットシンボル、ローカルエリア識別チャネル（ＬＩＣ）パイロットシンボル、および、時分割多重化２（ＴＤＭ２）パイロットシンボル、のうちの少なくとも１つについて生成される、請求項２９に記載のプロセッサ。
【請求項３４】
前記命令は、
前記平均周波数ドメインチャネル推定値を生成することに先立って周波数ドメインチャネル推定値に対して位相補正を実行すること、
をさらに備える、
請求項２９に記載のプロセッサ。
【発明の詳細な説明】
【相互参照】
【０００１】
本願は、２００６年４月１２日に出願され、「パイロット変調エラー率(PILOT MODULATION ERROR RATE)」と題された米国仮出願第６０／７９１，７５３号の利益を主張する。上記に参照された出願の全体が、参照によりここに組み込まれている。
【背景】
【０００２】
［Ｉ．分野］
以下の説明は、一般にワイヤレス通信に関し、とりわけトランスミッタ性能の評価(evaluation of transmitter performance)に関する。
【０００３】
［ＩＩ．背景］
ワイヤレスネットワーキングシステムは、大多数の人々が世界中で通信するようになってきている、普及した手段になってきている。ワイヤレス通信デバイスは、消費者ニーズを満たすために、そして携帯性と便利さを改善するために、より小型に、そしてより強力になってきている。消費者は、セルラ電話や携帯型個人情報端末(personal digital assistant)（ＰＤＡ）などワイヤレス通信デバイスに依存するようになってきており、信頼できるサービスとカバレージの拡張された区域を要求している。
【０００４】
典型的なワイヤレス通信ネットワーク（例えば、周波数分割技法、時分割技法、符号分割技法を使用したもの）は、カバレージ区域を提供する１つまたは複数の基地局と、そのカバレージ区域内でデータを送信し受信することができる１つまたは複数のモバイル（例えば、ワイヤレス）ユーザデバイスを含んでいる。典型的な基地局は、ブロードキャストサービス、マルチキャストサービス、および／またはユニキャストサービスのために複数の(multiple)データストリームを同時に送信することができ、ここで、データストリームは、ユーザデバイスにとって独立な受信対象となり得るデータのストリームである。その基地局のカバレージ区域内のユーザデバイスは、複合ストリームによって搬送される１つのデータストリーム、複数のデータストリーム、またはすべてのデータストリームを受信する際に関心がある可能性がある。同様に、ユーザデバイスは、基地局または別のユーザデバイスに対してデータを送信することができる。
【０００５】
順方向リンクオンリー(Forward Link Only)（ＦＬＯ）技術が、最高品質性能を達成する、システム設計における最近の進歩を利用するために、ワイヤレス通信サービスプロバイダの業界団体によって開発されてきている。ＦＬＯ技術は、モバイルマルチメディア環境を目的としており、モバイルユーザデバイスと共に使用するために適している。ＦＬＯ技術は、リアルタイムコンテンツストリーミング(real-time content streaming)と他のデータサービスの両方について高品質の受信を達成するように設計される。ＦＬＯ技術は、パワー消費を損なわずに、堅牢なモバイル性能と高容量とを提供することができる。さらに、その技術は、展開される必要がある基地局トランスミッタの数を減少させることにより、マルチメディアコンテンツを配信するネットワークコストを低減させる。さらに、ＦＬＯ技術ベースのマルチメディアマルチキャスティングは、ワイヤレスオペレータのセルラネットワークのデータおよび音声のサービスと相補的であり、同じモバイルデバイスに対してコンテンツを配信している。
【０００６】
基地局トランスミッタ性能は、ワイヤレスシステムの全般的な性能にとって極めて重要である。トランスミッタによって生成される信号におけるエラーまたは雑音は、トランスミッタとレシーバとの間のデータの損失または破損をもたらす可能性がある。とりわけ、より少ないトランスミッタを利用することができるＦＬＯ技術を利用したワイヤレスシステムにおいては、各トランスミッタの性能は、クリティカルである。
【発明の開示】
【０００７】
［概要］
以下は、そのような実施形態の基本的な理解を提供するために、１つまたは複数の実施形態の簡略化された概要(summary)を提示している。この概要は、必ずしもすべての考えられる実施形態についての広範な概説ではなく、すべての実施形態の主要なあるいは不可欠な要素を識別するようにも、また、いずれかのあるいはすべての実施形態の範囲を示すようにも意図されてはいない。その唯一の目的は、後で提示されるより詳細な説明に対する前置きとして、１つまたは複数の実施形態の一部の概念を簡略化された形式で提示することである。
【０００８】
１つまたは複数の実施形態とその対応する開示に従って、様々な態様が、ワイヤレス通信環境におけるトランスミッタ性能を監視することに関連して説明される。１つまたは複数のパイロットシンボルに関連する１つまたは複数のメトリクス(a metric or metrics)が、性能を評価するために生成され、使用されることができる。パイロットメトリクス(pilot metrics)を生成するために信号アナライザが、トランスミッタの出力をサンプリングするために使用されることができ、サンプリングされた信号は、プロセッサへと伝搬させられることができる。プロセッサは、サブキャリアについての周波数ドメインチャネル推定値を生成することができる。サブキャリアについての平均チャネル推定値は、各サブキャリアについての雑音またはエラーを決定するために知られているパイロットシンボルと共に使用されることができ、この雑音またはエラーは、パイロットシンボルのおのおのについての雑音分散(noise variance)を生成するために使用されることができる。パイロット変調エラーメトリクス(pilot modulation error metric)は、平均チャネル推定値および雑音分散に基づいて生成されることができる。
【０００９】
一態様においては、方法は、トランスミッタ信号のデータのユニット上で各サブキャリアについての平均周波数ドメインチャネル推定値を生成することと、サブキャリアのおのおのについての平均周波数ドメインチャネル推定値に基づいてパイロットシンボルに関連するサブキャリアのおのおのについてのパイロットシンボル雑音を決定することと、を含んでいる。本方法は、次いでパイロットシンボルに関連するサブキャリアのおのおのについてのパイロットシンボル雑音に少なくとも部分的に基づいてパイロットシンボルについての平均雑音分散を決定すること、を含んでいる。本方法は、パイロットシンボルについての平均雑音分散と、サブキャリアのおのおのについての平均周波数ドメインチャネル推定値と、に少なくとも部分的に基づいてトランスミッタ性能を示すパイロット変調エラー率を生成すること、を含んでいる。
【００１０】
別の態様においては、装置は、パイロットシンボルについてのパイロット変調エラー率を生成するプロセッサと、プロセッサに結合され、そのパイロットシンボルに関連した情報を記憶するメモリと、を含む。本プロセッサは、ＲＦ信号のスーパーフレームの複数のサブキャリアのおのおのについての平均周波数ドメインチャネル推定値を生成し、平均周波数ドメインチャネル推定値に少なくとも部分的に基づいてスーパーフレーム内の各パイロットシンボルについての雑音分散を決定する。パイロットシンボルについてのパイロット変調エラー率は、パイロットシンボルについての雑音分散に少なくとも部分的に基づいている。
【００１１】
さらに別の態様においては、装置は、トランスミッタ信号のデータのユニット上で複数のサブキャリアのおのおのについての平均周波数ドメインチャネル推定値を生成するための手段、を含んでいる。本装置はまた、複数のサブキャリアのおのおのについての平均周波数ドメインチャネル推定値に基づいてパイロットシンボルに関連するサブキャリアのおのおのについてのパイロットシンボル雑音を決定するための手段と、パイロットシンボルに関連するサブキャリアのおのおのについてのパイロットシンボル雑音に少なくとも部分的に基づいてパイロットシンボルについての平均雑音分散を決定するための手段と、を含む。さらに、本装置は、パイロットシンボルについての平均雑音分散と、サブキャリアのおのおのについての平均周波数ドメインチャネル推定値と、に少なくとも部分的に基づいてトランスミッタ性能を示すパイロット変調エラー率を生成するための手段、も含んでいる。
【００１２】
別の態様においては、コンピュータ可読媒体は、トランスミッタ信号のデータのユニットについて複数のサブキャリアのおのおのについての平均周波数ドメインチャネル推定値を生成するための、そして、複数のサブキャリアのおのおのについての平均周波数ドメインチャネル推定値に基づいてパイロットシンボルに関連するサブキャリアのおのおのについてのパイロットシンボル雑音を決定するための、命令を含むコンピュータプログラムを含んでいる。さらに、本コンピュータプログラムは、パイロットシンボルに関連するサブキャリアのおのおのについてのパイロットシンボル雑音に少なくとも部分的に基づいてパイロットシンボルについての平均雑音分散を決定し、そしてパイロットシンボルについての平均雑音分散と、複数のサブキャリアのおのおのについての平均周波数ドメインチャネル推定値と、に少なくとも部分的に基づいてトランスミッタ性能を示すパイロット変調エラー率を生成するための命令、も含んでいる。
【００１３】
さらに別の態様においては、プロセッサは、トランスミッタ信号のデータのユニット上で複数のサブキャリアのおのおのについての平均周波数ドメインチャネル推定値を生成することと、複数のサブキャリアのおのおのについての平均周波数ドメインチャネル推定値に基づいてパイロットシンボルに関連する複数のサブキャリアのおのおのについてのパイロットシンボル雑音を決定することと、を含む命令を実行する。本プロセッサはまた、パイロットシンボルに関連する複数のサブキャリアのおのおのについてのパイロットシンボル雑音に少なくとも部分的に基づいてパイロットシンボルについての平均雑音分散を決定し、そしてパイロットシンボルについての平均雑音分散と、複数のサブキャリアのおのおのについての平均周波数ドメインチャネル推定値と、に少なくとも部分的に基づいてトランスミッタ性能を示すパイロット変調エラー率を生成するための命令、を実行することもできる。
【００１４】
前述の目的、および関連した目的の遂行のために、１つまたは複数の実施形態は、以降で十分に説明され、特に特許請求の範囲において指摘される特徴を備える。以下の説明、および添付の図面は、１つまたは複数の実施形態のある種の例示の態様を詳細に述べている。しかしながら、これらの態様は、様々な実施形態の原理が使用されることができ、説明される実施形態がすべてのそのような態様とそれらの均等物(equivalents)を含むように意図される様々な方法のうちの少しだけしか示していない。
【００１５】
［詳細な説明］
次に様々な実施形態が、図面を参照して説明され、図面中において同様な参照番号は、全体にわたって同様な要素を意味するように使用される。以下の説明においては、説明の目的のために、非常に多くの特定の詳細が、１つまたは複数の実施形態の完全な理解を提供するために述べられる。しかしながら、そのような実施形態（単数または複数）は、これらの特定の詳細なしに実行されることができることが明らかになり得る。他の例では、よく知られている構造およびデバイスが、１つまたは複数の実施形態を説明することを容易にするためにブロック図形式で示される。
【００１６】
本願において使用されるように、「コンポーネント」、「システム」などの用語は、ハードウェア、ハードウェアとソフトウェアの組合せ、ソフトウェア、あるいは実行中のソフトウェアのいずれかの、コンピュータに関連したエンティティを意味するように意図される。例えば、コンポーネントは、それだけには限定されないが、プロセッサ上で実行されるプロセス、プロセッサ、オブジェクト、実行形式(executable)、実行スレッド(thread of execution)、プログラム、および／またはコンピュータとすることができる。例として、通信デバイス上で実行されるアプリケーションも、そのデバイスもコンポーネントとすることができる。１つまたは複数のコンポーネントは、プロセスおよび／または実行スレッドの内部に存在することができ、コンポーネントは、１台のコンピュータ上に局所化され、かつ／または２台以上のコンピュータの間で分散されることができる。さらに、これらのコンポーネントは、様々なデータ構造が記憶されている様々なコンピュータ可読媒体から実行することもできる。コンポーネントは、１つまたは複数のデータパケット（例えば、ローカルシステム、分散システムにおける別のコンポーネントと、かつ／またはインターネットなどのネットワークにまたがって信号を経由して他のシステムと相互作用する１つのコンポーネントからのデータ）を有する信号などに従って、ローカルおよび／またはリモートのプロセスを経由して通信することができる。
【００１７】
さらに、様々な実施形態が、ユーザデバイスに関連してここにおいて説明される。ユーザデバイスは、システム、加入者ユニット、加入者局、移動局、モバイルデバイス、リモート局、アクセスポイント、基地局、リモート端末、アクセス端末、ユーザ端末、端末、ユーザエージェント、またはユーザ装置(user equipment)（ＵＥ）と呼ばれることもできる。ユーザデバイスは、セルラ電話、コードレス電話、セッション開始プロトコル(Session Initiation Protocol)（ＳＩＰ）電話、ワイヤレスローカルループ(wireless local loop)（ＷＬＬ）局、ＰＤＡ、ワイヤレス接続機能を有するハンドヘルドデバイス、またはワイヤレスモデムに接続された他の処理デバイスとすることができる。
【００１８】
さらに、ここにおいて説明される様々な態様または特徴は、標準のプログラミング技法および／またはエンジニアリング技法を使用した製造の方法、装置、または物品としてインプリメントされることができる。ここにおいて使用されるような用語「製造の物品(article of manufacture)」は、任意のコンピュータ可読なデバイス、キャリア、または媒体からアクセス可能なコンピュータプログラムを包含するように意図される。例えば、コンピュータ可読媒体は、それだけには限定されないが、磁気ストレージデバイス（例えば、ハードディスク、フロッピー（登録商標）ディスク、磁気ストリップ...）、光ディスク（例えば、コンパクトディスク(compact disk)（ＣＤ）、デジタル多用途ディスク(digital versatile disk)（ＤＶＤ）...）、スマートカード、およびフラッシュメモリデバイス（例えば、カード、スティック、キードライブ...）を含むことができる。
【００１９】
ＦＬＯワイヤレスシステムは、リアルタイムのオーディオ信号およびビデオ信号、ならびに非リアルタイムサービスをブロードキャストするために設計されている。ＦＬＯ送信は、与えられた地理的な区域における広いカバレージを保証するために高い、高パワーのトランスミッタを利用して実行される。ＦＬＯ信号が、与えられたマーケットにおける人口のかなりの部分に到達することを保証するために、マーケットにおいて複数のトランスミッタを展開することが一般的である。
【００２０】
一般的に、ＦＬＯ技術は、直交周波数分割多重化(orthogonal frequency division multiplexing)（ＯＦＤＭ）を利用している。ＯＦＤＭなど、周波数分割に基づいた技法は、一般に、周波数スペクトルを帯域幅の一様なチャンクへと分割することにより、周波数スペクトルを別個のチャネルへと分離する。例えば、ワイヤレスセルラ電話通信のために割り付けられた周波数のスペクトルまたは帯域は、３０個のチャネルに分割されることができ、これらのチャネルのおのおのは、音声の会話、あるいはデジタルサービスの場合にはデジタルデータを搬送することができる。各チャネルは、一時にただ１つのユーザデバイスまたは端末に割り当てられることができる。ＯＦＤＭは、効果的に、全体的なシステム帯域幅を複数の直交周波数チャネルへと区分する。ＯＦＤＭシステムは、複数の端末についての複数のデータ伝送の間の直交性を達成するために、時分割多重化および／または周波数分割多重化を使用することができる。例えば、異なる端末には異なるチャネルが割り付けられることができ、各端末についてのデータ伝送は、この端末に割り付けられたチャネル（単数または複数）上で送信されることができる。異なる端末についての交わらない、またはオーバーラップしないチャネルを使用することにより、複数の端末の間の干渉が、回避され、低減されることができ、改善された性能が達成されることができる。
【００２１】
基地局トランスミッタ性能は、ワイヤレスシステム、特にＦＬＯ技術を利用したワイヤレスシステムの全体的な性能にとって極めて重要である。したがって、トランスミッタをテストし評価するためのシステムおよび／または方法は、正確であり、そして費用対効果が大きい必要がある。トランスミッタは、インストレーションのためにトランスミッタを適格にするために、工場において、あるいはインストレーションの前にテストされることができる。さらに、トランスミッタは、連続したトランスミッタ性能を保証するために、インストレーションの後にテストされ、または監視されることができる。ここにおいて説明されるシステムおよび方法は、それだけには限定されないが、ワイヤレス環境ブロードキャスティングＦＬＯ、デジタルマルチメディアブロードキャスティング（ＤＭＢ）、デジタルビデオブロードキャスティング（ＤＶＢ）、ＤＶＢ−Ｈ、ＤＶＢ−Ｔ、ＤＶＢ−Ｓ、あるいはＤＶＢ−Ｓ２の信号を含めて、ワイヤレス環境におけるトランスミッタ性能を評価するために使用されることができる。
【００２２】
次に図１を参照すると、ここにおいて提示される様々な態様に従うトランスミッタ評価システム１００が、示されている。システム１００は、トランスミッタ１０２によって生成される信号をサンプリングするために使用されることができる信号アナライザ１０４を含むことができる。信号を受信するレシーバではなくて信号アナライザ１０４を使用することにより、システム１００は、追加の雑音および歪みの可能なソースとしてレシーバを除外することができる。システム１００は、信号アナライザ１０４によって取り込まれる信号を処理することと、トランスミッタ１０２の性能を評価するための１つまたは複数のメトリクスを生成することとができるプロセッサコンポーネントを含むこともできる。プロセッサコンポーネント１０６は、受信信号の各サブキャリアについて周波数ドメインチャネル推定値を生成するために使用されることができるチャネル推定器コンポーネント１０８を含むことができる。受信信号は、評価システム１００によって受信され、または測定されるような信号である。プロセッサコンポーネント１０６は、トランスミッタ１０２の性能を評価するために、パイロットシンボルに基づいた変調エラー率(modulation error ratio)（ＭＥＲ）など、１つまたは複数のメトリクスを生成するメトリクスジェネレータコンポーネント１１０を含むこともできる。メトリクスジェネレータコンポーネント１１０によって生成されるメトリクスは、チャネル推定器コンポーネント１０８によって生成される周波数ドメインチャネル推定値に部分的に基づいたものとすることができる。システム１００は、トランスミッタ性能評価に関連したデータ（例えば、シンボルデータおよびメトリクスデータ）を含むプロセッサコンポーネント１０６に接続されるメモリ１１２を含むこともできる。さらに、システム１００は、ユーザが、プロセッサコンポーネント１０６によって生成されるビジュアルフィードバックを介してトランスミッタ性能を監視することを可能にするディスプレイコンポーネント１１４を含むこともできる。
【００２３】
プロセッサコンポーネント１０６は、ディスプレイコンポーネント１１６についての様々なタイプのユーザインターフェースを提供することができる。プロセッサコンポーネント１０６は、グラフィカルユーザインターフェース(graphical user interface)（ＧＵＩ）、コマンドラインインターフェースなどを提供することができる。例えば、トランスミッタ情報を閲覧する領域をユーザに提供するＧＵＩが、提供されることができる。その領域は、対話ボックス、静的制御、ドロップダウンメニュー、リストボックス、ポップアップメニュー、編集制御(as edit control)、コンボボックス、ラジオボタン、チェックボックス、プッシュボタン、およびグラフィックボックスを備える、知られているテキストおよび／またはグラフィックの領域を備えることができる。さらに、領域が閲覧可能になるかどうかを決定するナビゲーションボタンおよびツールバーボタンのための垂直および／または水平のスクロールバーなど、プレゼンテーションを容易にするユーティリティが、使用されることができる。
【００２４】
一例においては、コマンドラインインターフェースが使用されることができる。例えば、コマンドラインインターフェースは、テキストメッセージを提供することにより、情報についてユーザを（例えば、ディスプレイ上のテキストメッセージとオーディオトーンとにより）促し、あるいはトランスミッタ性能があらかじめ決定された範囲の外側にあることをユーザに警告することができる。コマンドラインインターフェースは、ＧＵＩおよび／またはアプリケーションプログラムインターフェース(application program interface)（ＡＰＩ）に関連して使用されることができることを理解すべきである。さらに、コマンドラインインターフェースは、ハードウェア（例えば、ビデオカード）、限られたグラフィックサポートを有するディスプレイ（例えば、白黒、およびＥＧＡ）、および／または低帯域幅通信チャネルに関連して使用されることができる。
【００２５】
さらに、評価システム１００は、トランスミッタ性能が、あらかじめ決定された許容可能な範囲の外側にあるときにユーザに通知すべき警告を生成することができる。その警告は、性能についてユーザに通知するように意図されるオーディオ形態、ビジュアル形態、あるいは他の任意の形態とすることができる。評価システム１００は、許容可能な範囲の境界を指し示すあらかじめ決定された１組の値を含むことができる。代わりに、ユーザは、それらの境界を動的に決定することができる。さらに、評価システム１００は、トランスミッタ性能の変化に基づいて警告を生成することができる。
【００２６】
図２は、順方向リンクオンリーネットワークについてのワイヤレスネットワークシステム２００を示している。本システム２００は、ワイヤレスネットワーク２０４を横切って１つまたは複数のユーザデバイスまたはレシーバ２０６に対して通信する１つまたは複数のトランスミッタ２０２を含んでいる。レシーバ２０６は、セル電話、コンピュータ、パーソナルアシスタント、ハンドヘルドデバイスまたはラップトップデバイスなど、実質的に任意のタイプの通信デバイスを含むことができる。レシーバ２０６の一部分は、シンボルサブセット２０８と、マルチメディアデータなど他のデータを復号するために使用される。シンボルサブセット２０８は、一般に、マルチメディアデータ転送のために順方向リンクオンリー（ＦＬＯ）プロトコルを使用する直交周波数分割多重化（ＯＦＤＭ）ネットワークにおいて伝送される。
【００２７】
図３は、ワイヤレス通信システム３００の説明図である。システム３００は、通信衛星システム３０４から送信のためのデータを受信することができるトランスミッタ３０２を含んでいる。衛星システム３０４からの信号は、衛星復調器３０８とシンプルネットワーク管理プロトコル(simple network management protocol)（ＳＮＭＰ）制御ユニット３１０とを含むことができる集積化レシーバデコーダ３０６を介して伝搬させられることができる。集積化レシーバデコーダ３０６からの信号データは、トランスミッタ３０２内のエキサイタ(exciter)３１２に入力されることができる。さらに、トランスミッタ３０２は、モデム３１６を介してインターネットプロバイダ(Internet provider)（ＩＰ）ネットワーク３１４へと接続されることができる。モデム３１６は、トランスミッタ３０２内のＳＮＭＰ制御ユニット３１８に接続されることができる。エキサイタ３１２は、パーサおよび単一周波数ネットワーク（ＳＦＮ）バッファ３２０と、ボウラーコア(bowler core)３２２と、デジタルアナログ変換器（ＤＡＣ）およびＩ／Ｑ変調器３２４とを含むことができる。衛星システム３０４からの信号データは、パーサおよびＳＦＮバッファ３２０において解析され、それに記憶されることができる。ボウラーコア３２２は、信号データを表す複素数を生成することができ、信号データを同相（Ｉ）成分と直交（Ｑ）成分としてＤＡＣおよびＩ／Ｑ変調器３２４に対して渡す。ＤＡＣおよびＩ／Ｑ変調器３２４は、信号データを処理し、アナログの無線周波数（ＲＦ）(radio frequency)信号を生成するためにシンセサイザ３２６を利用することができる。データがアナログに変換された後に、結果として生ずるＲＦ信号データは、電力増幅器３２８へと、そして高調波フィルタ３３０を介して渡されることができる。さらに、データは、アンテナ３３４による送信に先立ってチャネルフィルタ３３２を介して渡されることができる。
【００２８】
トランスミッタ性能を評価するために、エキサイタ３１２によって生成されるＲＦ信号データは、トランスミッタエラーを分離するために送信に先立って監視されることができる。トランスミッタのエラーまたは雑音の可能なソースは、アップサンプリングのデジタルアナログ変換とＲＦ変換とを含む。信号データは、ＲＦ信号が、電力増幅およびフィルタリングの前または後のいずれかにサンプリングされることができるように、エキサイタの出力において、そしてチャネルフィルタの出力においてサンプリングされることができる。信号が、増幅の後にサンプリングされる場合、信号は、電力増幅の非線形性についても訂正されるべきである。
【００２９】
次に図４を参照すると、トランスミッタシステムエキサイタ３１２に接続されたトランスミッタ評価システム４００が、示されている。全地球測位システム(global positioning system)（ＧＰＳ）４０２からの信号は、トランスミッタエキサイタ３１２と信号アナライザ１０４とを同期させるために使用されることができる。ＧＰＳレシーバ４０２からの外部の１０メガヘルツクロックは、共通のクロック基準としての役割を果たすようにエキサイタ３１２と信号アナライザ１０４の両方に供給されることができる。信号アナライザ１０４によるサンプリングの開始をエキサイタ３１２によって出力されるＲＦ信号データのスーパーフレームの始めに同期させるために、ＧＰＳ４０２は、サンプリングの開始をトリガするために、同期化のためのエキサイタ３１２に対して、そして信号アナライザ１０４に対して毎秒１パルスの（１ＰＰＳ）信号を送信することができる。ＲＦ信号は、スーパーフレームから構成され、ここで、スーパーフレームは、１グループのフレーム（例えば、４フレーム）を含むことができ、フレームは、データの論理ユニットである。スーパーフレームは、図５に関してさらに詳細に論じられる。信号アナライザ１０４は、送信信号のベースバンドチップレートに同期したレートでエキサイタアナログ出力波形のデジタルサンプルを生成することができる。次いで、サンプリングされたデータは、プロセッサコンポーネント１０６に供給されることができる。プロセッサコンポーネント１０６は、汎用プロセッサ、またはトランスミッタデータを解析することに専用にされたプロセッサを使用してインプリメントされることができる。汎用プロセッサの使用は、トランスミッタ評価システム４００のコストを低減させることができる。信号アナライザ１０４は、量子化雑音を回避するために浮動小数点モードで実行されるように構成されることができる。
【００３０】
図５に進むと、ＦＬＯ物理レイヤスーパーフレーム５００が示されている。一実施形態においては、スーパーフレームは、６Ｍｈｚの帯域幅の場合についての１秒の存続時間を有する１２００個のＯＦＤＭシンボルに等しくすることができる。一般に、ＦＬＯ送信信号は、５００に示されるようにスーパーフレームへと構成される。各スーパーフレームは、ＴＤＭパイロットシンボル（時分割多重化）５０２と、オーバーヘッド情報シンボル(Overhead Information Symbol)（ＯＩＳ）５０４と、ワイドエリアデータ５１４およびローカルエリアデータ５１６を含む、フレーム５０６、５０８、５１０、５１２とを含めて、４つのフレームのデータから構成されることができる。パイロットシンボルは、４つのあらかじめ定義されたパイロットシンボル、すなわち時分割多重化１(time division multiplexed 1)（ＴＤＭ１）と、ワイドエリア識別チャネル(wide area identification channel)（ＷＩＣ）と、ローカルエリア識別チャネル(local area identification channel)（ＬＩＣ）と、時分割多重化２(time division multiplexed 2)（ＴＤＭ２）とを含むことができる。パイロットシンボルは、同期化と、タイミングと、識別の目的のために使用されることができる。その結果として、パイロットシンボルの構造は、４フレームのデータ５０６、５０８、５１０および５１２と共に含まれるＯＦＤＭデータシンボルの構造とは異なっている。パイロットシンボルは、ＯＩＳの迅速な取得を可能にすることができる。ＯＩＳは、スーパーフレームにおける各メディアサービスについてのデータのロケーションを記述する。
【００３１】
一般的に、各スーパーフレームは、割り付けられた帯域幅についてＭＨｚ当たりに２００個のＯＦＤＭシンボル（６ＭＨｚの場合には１２００個のシンボル）から構成され、各シンボルは、７つのインタレースのアクティブなサブキャリアを含むことができる。例えば、各シンボルは、データについて使用可能な４０００個のサブキャリアを有する４０９６個のサブキャリアを含むことができる。アクティブなサブキャリアの各インタレースは、周波数において一様に分散され、その結果、それは、使用可能な帯域幅内において完全な周波数ダイバーシティを達成する。これらのインタレースは、使用される実際のインタレースの存続時間と数の観点で変化する論理チャネルに割り当てられる。これは、与えられた任意のデータソースによって達成される時間ダイバーシティにおける柔軟性を提供する。より低いデータレートのチャネルには、時間ダイバーシティを改善するためにより少ないインタレースが割り当てられることができるが、より高いデータレートのチャネルは、その無線のオン時間を最小にし、パワー消費を低減させるためにより多くのインタレースを利用する。
【００３２】
低いデータレートのチャネルと、高いデータレートのチャネルの両方についての取得時間は、一般的に同じである。それ故に、周波数ダイバーシティと時間ダイバーシティは、取得時間を損なわずに保持されることができる。ほとんどの場合に、ＦＬＯ論理チャネルは、可変レートコーデック（コンプレッサ(Compressor)とデコンプレッサ(Decompressor)が一体になったもの）を用いて可能な統計的多重化利得を取得するために可変レートでリアルタイム（ライブストリーミング）コンテンツを搬送するために使用される。各論理チャネルは、異なるアプリケーションについての様々な信頼性とサービス品質の要件をサポートするために異なる符号化レートと変調を有することができる。ＦＬＯ多重化スキームは、パワー消費を最小にするために、それが関心のある単一論理チャネルのコンテンツをデバイスレシーバが、復調することを可能にする。モバイルデバイスは、ビデオと、関連するオーディオが異なるチャネル上で送信されることを可能にするために複数の論理チャネルを同時に復調することができる。
【００３３】
次に図６を参照すると、受信され、または測定された信号と、送信信号との間の違いを示すコンステレーション図(constellation diagram)が、示されている。コンステレーション図の軸は、同相またはＩ−軸と、直交またはＱ−軸と称される複素数の実数成分と虚数成分とを表す。受信され、または測定された信号のコンステレーションポイント(constellation point)と、送信信号のコンステレーションポイントとの間のベクトルは、エラーを表し、このエラーは、デジタルアナログ変換誤り、電力増幅器の非線形性、インバンド振幅リップル、トランスミッタＩＦＦＴ量子化エラーなどを含むことができる。
【００３４】
トランスミッタ評価システムは、トランスミッタの性能を評価するために１つまたは複数のメトリクスを生成することができる。プロセッサによって生成されるメトリクスは、それだけには限定されないが、変調エラー率（ＭＥＲ）、パイロット変調エラー率、グループ遅延またはチャネル周波数応答を含む。とりわけ、ＭＥＲは、トランスミッタ内の欠陥(flaw)の累積的影響を測定する。サブキャリアについてのＭＥＲは、サブキャリアについての信号対雑音比(signal to noise ratio)（ＳＮＲ）と等価である。ＭＥＲは、次式を使用して生成されることができる。
【数１】
2009533968.tif 000003
【００３５】
ここで、Ｉは、測定されたコンステレーションポイントの同相値であり、Ｑは、測定されたコンステレーションポイントの直交値であり、Ｎは、サブキャリアの数である。ΔＩは、送信信号と測定信号の同相値の間の差であり、ΔＱは、送信信号と測定信号の直交値の間の差である。
【００３６】
別個のパイロットＭＥＲメトリクスは、４つのパイロットシンボルのおのおのについて決定されることができる。パイロットシンボルのおのおのについてのパイロットＭＥＲは、各パイロットシンボルについて単一の性能指数(figure of merit)を提供することができる。パイロットＭＥＲの計算または生成は、図８に関して詳細に論じられる。
【００３７】
図７〜１２および１４〜１６を参照すると、ワイヤレス通信システムにおいてトランスミッタ性能を評価することに関連した方法が、示されている。説明を簡単にする目的のために、本方法は、一連の動作として示され説明されるが、一部の動作は、１つまたは複数の実施形態に従って、ここにおいて示され説明される順序とは異なる順序で、かつ／または他の動作と同時に起こる可能性があるので、本方法は、動作の順序によって限定されることはないことを理解し、認識すべきである。例えば、当業者は、方法が、代わりに状態図などの形の一連の相互に関連した状態またはイベントとして表されることができることを理解し認識するであろう。さらに、必ずしもすべての例示された動作が、１つまたは複数の実施形態に従って方法をインプリメントするために利用される可能性があるものとは限らない。
【００３８】
次に図７を参照すると、トランスミッタから受信されるＲＦ信号データを処理し、そしてトランスミッタ性能を評価するための方法７００が、示されている。７０２において、信号は、トランスミッタから受信され、あるいはサンプリングされる。受信信号は、次のように書かれることができる。
【００３９】
Ｙｋ＝Ｈｋ・Ｐｋ＋Ｎｋ
ここで、Ｈｋは、サブキャリアｋのチャネルである。知られている変調シンボルＰｋは、サブキャリアｋ上で送信されることができる。ゼロの平均値(mean)とσ２の分散(variance)を有する複合追加ホワイトガウス雑音(additive white Gaussian noise)（ＡＷＧＮ）は、Ｎｋによって表されることができる。
【００４０】
データＯＦＤＭシンボルについてのサブキャリアについての可能な変調タイプは、それだけには限定されないが、４相位相偏移変調(quadrature phase-shift keying)（ＱＰＳＫ）と、６．２５のエネルギー比（ＥＲ６．２５）を有する階層化(layered)ＱＰＳＫと、１６ＱＡＭ（直交振幅変調(quadratute amplitude modulation)）と、４．０のエネルギー比（ＥＲ４）を有する階層化ＱＰＳＫとを含むことができる。パイロットシンボルのサブキャリアは、一般にＱＰＳＫ変調タイプである。ビューのコンステレーションポイントに基づいて解析されるときに、エネルギー比４．０を有する階層化ＱＰＳＫ変調タイプは、１６ＱＡＭの変調タイプと同一である。ビューのコンステレーションポイントは、ここにおいて使用されるように、複素平面におけるデジタル変調スキームを表すコンステレーション図の利用を意味する。変調シンボルは、コンステレーション図上のコンステレーションポイントとして表されることができる。
【００４１】
サブキャリアについての初期周波数ドメインチャネル推定値が、７０４において決定されることができる。各サブキャリアについての初期チャネル推定値は、サブキャリアｋについての信号Ｙｋをサブキャリアｋについての知られているシンボルＰｋによって除算することにより取得されることができる。選択されたシンボルは、それらのシンボルが、性能評価の目的のために知られているように送信されることができる。例えば、インストレーションに先立つテスト中に、特定のパターンのシンボルは、各サブキャリアについてのシンボルが予測可能であり、そしてそれ故に知られているように送信されることができる。送信された変調シンボルが知られていないときの変調シンボルの決定は、以下で詳細に論じられる。スーパーフレーム内のあらゆるＯＦＤＭシンボルｌの、各サブキャリアｋについての初期周波数ドメインチャネル推定値は、次のように表されることができる。
【数２】
2009533968.tif 000004
【００４２】
ここで、Ｚｋ，ｌは、サブキャリアｋと、ＯＦＤＭシンボルｌについての初期チャネル推定値である。
【００４３】
各サブキャリアについての平均チャネル推定値が、７０６において決定されることができる。サブキャリアのチャネル推定値Ｚｋ，ｌは、次式のように、全体のスーパーフレーム上で平均することにより、改良されることができる。
【数３】
2009533968.tif 000005
【００４４】
ここで、ｋは、ＯＦＤＭシンボルインデックスであり、Ｌは、スーパーフレーム（例えば、１１８８シンボル）におけるＯＦＤＭシンボルの数である。平均チャネル推定値の分散は、初期チャネル推定値の分散よりも小さいので、平均チャネル推定値の分散は、メトリクス生成中にサブキャリアのチャネル利得の近似値を求めるために使用されることができる。
【００４５】
７０８において、トランスミッタ性能を評価するための１つまたは複数のメトリクスが、生成される。例えば、サブキャリアｋについてのデータシンボルについてのＭＥＲが、生成されることができる。送信されたＯＦＤＭデータシンボルが知られていることを仮定すると、雑音分散は、次により推定されることができる。
【数４】
2009533968.tif 000006
【００４６】
ここで、Ｘｋ，ｍは、サブキャリアｋについての送信シンボルを表す。雑音Ｗｋの同相成分と直交成分は、近似的に以下のようであることが、示されることができる。
【数５】
2009533968.tif 000007
【００４７】
ランダム変数Ｂｋが、推定された雑音分散である場合には、
【数６】
2009533968.tif 000008
【００４８】
そして、
【数７】
2009533968.tif 000009
【００４９】
のようである。
【００５０】
サブキャリアについてのＭＥＲは、サブキャリアについての平均チャネル推定値と、サブキャリア上で送信されるシンボルと、サブキャリアについて受信される信号とに基づいて決定されることができる。ＭＥＲは、次の例示の式に基づいて計算されることができる。
【数８】
2009533968.tif 000010
【００５１】
ここで、
【数９】
2009533968.tif 000011
【００５２】
は、サブキャリアｋについての平均チャネル推定値であり、Ｐｋは、そのサブキャリア上で送信されるシンボルであり、Ｙｋは、受信信号であり、Ｎｋは、ＡＷＧＮである。さらに、ＭＥＲは、すべてのサブキャリア上で平均することにより計算されることができる。
【００５３】
ＯＦＤＭデータシンボルを使用して生成されるＭＥＲに加えて、１つまたは複数のパイロット変調エラー率、あるいはパイロットＭＥＲが、生成されることができる。パイロットＭＥＲは、特定のパイロットシンボル（例えば、ＴＤＭ１、ＷＩＣ、ＬＩＣおよびＴＤＭ２）のうちの１つに特有である。パイロットＭＥＲは、パイロットシンボルとデータシンボルとの間の差に起因してＯＦＤＭデータシンボルＭＥＲとは異なっている。さらに、パイロットシンボルは、すべてのスーパーフレーム上で同一である。それに応じて、パイロットシンボルは、どのようなデータシンボルが送信されるかに関係なく知られている。
【００５４】
次に図８を参照すると、パイロットＭＥＲを生成するための方法８００が、示されている。パイロットＭＥＲは、パイロットシンボル（例えば、ＴＤＭ１、ＷＩＣ、ＬＩＣおよびＴＤＭ２）のうちのおのおのまたはどれかについて生成されることができる。８０２において、パイロットシンボル内の各アクティブサブキャリアについての雑音またはエラーは、計算されることができる。パイロットシンボルによって利用されるサブキャリアは、ここにおいてアクティブサブキャリアと称され、未使用のサブキャリアは、非アクティブサブキャリアと称されることができる。４つのパイロットシンボルのおのおのについて、あらかじめ決定された１組のサブキャリアが、パイロットシンボルを送信するために使用されることができる。サブキャリアのすべてまたはほとんどが、データを送信するために使用されることができるＯＦＤＭデータシンボルと対照的に、パイロットシンボルは、サブキャリアのかなり小さな部分を利用することができる。例えば、ＴＤＭ１パイロットは、１２４個のサブキャリアを利用することができ、ＴＤＭ２パイロットシンボルは、２０００個のサブキャリアを利用することができ、ＷＩＣパイロットシンボルおよびＬＩＣパイロットシンボルは、おのおの使用可能な４０００個のサブキャリアのうちの５００個のサブキャリアを利用することができる。アクティブサブキャリアでは、４つのパイロットシンボルのうちの１つの各サブキャリアについての雑音は、次の例示の式を使用して生成されることができる。
【数１０】
2009533968.tif 000012
【００５５】
ここで、Ｗｋ，ｊは、サブキャリアｋについての雑音またはエラーであり、ｌは、ｌ∈｛０，１，２，３｝のように４つのパイロットシンボル（例えば、ＴＤＭ１、ＷＩＣ、ＬＩＣおよびＴＤＭ２）のうちの１つを表す。以上で論じられるように、Ｙｋ，ｌは、サブキャリアｋと、パイロットシンボルｌについての受信信号であり、
【数１１】
2009533968.tif 000013
【００５６】
は、スーパーフレーム上のサブキャリアｋについての平均チャネル推定値であり、Ｘｋ，ｌは、パイロットシンボルｌのサブキャリアｋについての送信された変調シンボルを表す。そのパイロットシンボルでは、それらのシンボルは、知られている。その結果として、雑音またはエラーは、計算されることができる。
【００５７】
８０４において、雑音は、パイロットシンボルのすべての非アクティブサブキャリアについて決定されることができる。非アクティブサブキャリアでは、雑音は、次の例示の式を使用して決定されることができる。
【００５８】
Ｗｋ，ｌ＝Ｙｋ，ｌ
ここで、サブキャリアは、パイロットシンボルについては利用されないので、受信信号は、ただの雑音である。
【００５９】
８０６において、雑音またはエラーが、パイロットシンボルのサブキャリアのおのおのについて計算された後に、すべてのサブキャリアにまたがった平均雑音分散は、次の例示の式を使用してパイロットシンボルについて生成されることができる。
【数１２】
2009533968.tif 000014
【００６０】
ここで、Ｎｌは、ＯＦＤＭシンボルｌについてのアクティブサブキャリアの数である。例えば、ＴＤＭ１では、Ｎｌは、１２４とすることができ、ＴＤＭ２では、Ｎｌは、２０００とすることができ、ＷＩＣおよびＬＩＣでは、Ｎｌは、５００とすることができる。雑音分散は、パイロットシンボルのすべてのサブキャリアについて合計される。雑音分散の合計は、サブキャリアの数（例えば、４０００）と、スケーリングファクタ(scaling factor)Ｎｌ／Ｌとによって除算され、ここでＬは、定数である。スケーリングファクタは、パイロットＭＥＲが、ＯＦＤＭデータシンボルを使用して生成されるＭＥＲとスケールで匹敵する(comparable in scale)ことを保証するために使用されることができる。かなり少ないサブキャリアが、ＯＦＤＭデータシンボルと比較して、パイロットシンボルについてアクティブである。ＯＦＤＭパイロットシンボルについての信号パワーは、ＯＦＤＭデータシンボルの信号パワーと同じ、あるいは類似している。かなり少ないアクティブサブキャリアを有する同等な信号パワーを生成するために、パイロットシンボルについてのアクティブサブキャリアのスケールは、データシンボルのスケールよりもずっと高い。パイロットシンボルについての雑音分散を決定するために使用されるスケーリングファクタは、パイロットシンボルのアクティブサブキャリアの数に基づいたものとすることができ、雑音分散が、ＯＦＤＭデータシンボルのそれに匹敵するものであることを保証している。
【００６１】
雑音分散の計算の後に、８０８において、１つまたは複数のパイロットシンボルについてのパイロットＭＥＲが、計算されることができる。次の例示の式は、任意のパイロットシンボルｌについてのＭＥＲを計算するために使用されることができる。
【数１３】
2009533968.tif 000015
【００６２】
ここで、この場合にも、
【数１４】
2009533968.tif 000016
【００６３】
は、サブキャリアｋについての平均チャネル推定値であり、Ｘｋ，ｌは、パイロットシンボルｌのサブキャリアｋについての知られている変調シンボルであり、Ｂｌは、パイロットシンボルｌについての雑音分散である。パイロットＭＥＲは、４つのパイロットシンボル（例えば、ＴＤＭ１、ＷＩＣ、ＬＩＣおよびＴＤＭ２）のおのおのについて生成されることができる。
【００６４】
次に図９を参照すると、送信シンボルが知られていない場合のトランスミッタを評価するための方法９００が、示されている。変調シンボル（例えば、ＱＰＳＫシンボルまたは１６ＱＡＭシンボル）は、リアルタイムデータストリームが送信されるときには知られていない。しかしながら、パイロットシンボルは、知られている。９０２において、信号が、受信される。サブキャリアについての粗い初期チャネル推定値は、９０４において、生成されることができる。粗い初期チャネル推定は、以下で図１０に関して説明されるように、知られているパイロットシンボルと、線形の内挿および外挿を使用して実行されることができる。９０６において、サブキャリアについての変調シンボルが、決定される。変調シンボルは、図１１から１４に関して以下で説明されるようにコンステレーション図を使用して決定されることができる。変調シンボルは、受信信号コンステレーションポイントと、最も近い変調シンボルコンステレーションポイントとの間の距離に基づいて選択されることができる。シンボル選択は、以下でさらに詳細に説明される。９０８において、各サブキャリアについての初期周波数ドメインチャネル推定値が、決定されることができる。各サブキャリアについての初期チャネル推定値は、変調シンボルによって受信信号を除算することにより取得されることができる。
【００６５】
９１０において、チャネル推定値は、精度を増すためにスーパーフレーム上で平均される。平均チャネル推定値は、粗いチャネル推定値、変調シンボルに基づいたチャネル推定値、または両方の組のチャネル推定値を使用して決定されることができる。チャネル推定値に少なくとも部分的に基づいてトランスミッタを評価するための１つまたは複数のメトリクスは、９１２において生成されることができる。例えば、各サブキャリアについてのＭＥＲは、以上で詳細に説明されるようにチャネル推定値と変調シンボルに基づいて決定されることができる。さらに、各パイロットシンボルについてのパイロットＭＥＲが、生成されることができる。
【００６６】
次に図１０を参照すると、粗いチャネル推定値を生成するための方法１０００が、示されている。以上で詳細に論じられるように、受信信号は、チャネル推定値、サブキャリアと雑音項についてのシンボル、ＡＷＧＮの関数として書かれることができる。各ＯＦＤＭシンボルにおいて、レシーバに知られているパイロットシンボルを搬送する、あらかじめ決定された数のサブキャリア（例えば、パイロットＱＰＳＫシンボルを搬送する５００個のサブキャリア）が存在する。したがって、変調シンボルは、サブキャリアのこのサブセットについて知られている。その結果として、１００２において、チャネル推定値は、パイロットサブキャリアについて計算されることができる。１００４において、２つのパイロットサブキャリアの間のサブキャリアについてのチャネル推定値は、線形内挿を使用して取得されることができる。１００６において、スーパーフレームの終わりにあり、そしてその結果として、パイロットサブキャリアの間に位置していないサブキャリアについてのチャネル推定値は、線形外挿を使用して、取得されることができる。
【００６７】
さらに、スーパーフレームのＯＦＤＭシンボルについてのパイロットシンボルの（２、６）のパターンスタガリング(pattern staggering)が存在するので、現在のＯＦＤＭシンボルの５００個のパイロットと、以前のＯＦＤＭシンボルの５００個のパイロットの両方は、周波数ドメインチャネル推定値を取得するために使用されることができる。そのような場合において、パイロットサブキャリアのチャネル推定値は、パイロットシンボルを使用して生成され、残りのサブキャリアのチャネル推定値は、線形の内挿または外挿により取得される。
【００６８】
次に図１１を参照すると、変調シンボルを決定するための方法１１００が、示されている。１１０２において、受信信号のコンステレーションポイントと、可能な変調シンボルのコンステレーションポイントの間の距離が、計算される。例えば、受信信号コンステレーションポイントと、その信号コンステレーションポイントに最も近いＱＰＳＫコンステレーションポイントとの間の距離、ならびに信号コンステレーションポイントと、信号コンステレーションポイントに最も近い１６ＱＡＭコンステレーションポイントとの間の距離が、計算されることができる。１１０４において、信号コンステレーションポイントに最も近い変調シンボルコンステレーションポイントが、変調シンボルとして選択される。変調シンボルの選択における精度を増すために、変調シンボルは、整合した変調タイプを有するサブキャリアのサブセットについての変調タイプと比較されることができる。変調シンボル選択におけるエラーは、サブキャリアのサブセットについての変調タイプに対してサブキャリアについての変調シンボルを検査することにより回避されることができる。サブキャリアのサブセットについての変調タイプは、１１０６において決定されることができる。１１０８において、変調シンボルは変調タイプと整合しているかどうかが、決定される。そうである場合、プロセスは、終了する。そうでない場合には、変調シンボルは、再評価され、変調タイプと整合した変調シンボルが、１１１０において選択される。
【００６９】
一般的に、変調タイプは、ハーフインタレース中に、整合したままである。ハーフインタレースは、整合した変調タイプを有するサブキャリアのサブセットの一例としてここにおいて使用される。しかしながら、ここにおいて論じられるシステムおよび方法においては、整合した変調タイプを有するサブキャリアのサブセットは、ハーフインタレースだけには限定されない。一般に、変調タイプは、ＦＬＯプロトコルにおける制約条件に起因して、インタレース内において変化しない。ここにおいて使用されるように、インタレースは、１組のサブキャリア（例えば、５００個のサブキャリア）である。その結果、ハーフインタレースは、インタレースの２分の１（例えば、２５０個のサブキャリア）である。しかしながら、レート−２／３階層化変調(rate-2/3 layered modulation)では、変調タイプは、ベースレイヤだけのモードで動作するときに、インタレース内においてＱＰＳＫにスイッチングされることができる。これらの条件の下でさえ、各ハーフインタレース内の変調タイプは、一定のままである。それ故に、各ハーフインタレースについての変調タイプは、多数決(majority voting)を使用して決定されることができる。ハーフインタレース、あるいは整合した変調タイプを有するサブキャリアの他の任意のサブセットについての変調タイプを決定するために、変調シンボルと、その結果としての変調タイプは、サブセット内の各サブキャリアについて決定されることができる。各サブキャリアに対応する変調タイプに基づいた多数決が、サブセットについての変調タイプを決定するために使用されることができる。例えば、２５０個のサブキャリアを含むハーフインタレースでは、１９８個のサブキャリアについての変調タイプは、ＱＰＳＫ変調タイプと整合している可能性があり、そして残りの５２個のサブキャリアについての変調シンボルは、１６ＱＡＭ変調タイプと整合している可能性がある。サブキャリアの大多数は、ＱＰＳＫとして検出されるので、ＱＰＳＫは、ハーフインタレースについての変調タイプとして選択されることになる。１６ＱＡＭ変調タイプに関連した５２個のサブキャリアは、コンステレーション図におけるそれらのロケーションに基づいて、再評価され、ＱＰＳＫ変調シンボルに再割り当てされることができる。ハーフインタレースについての変調タイプとサブキャリア変調シンボルを比較することと、必要に応じてサブキャリア変調シンボルを再評価することは、変調シンボル選択の正確さを増大させる。
【００７０】
次に図１２〜１３を参照すると、変調シンボルを決定するための方法１２００が、図１２に示されている。１２０２において、様々な変調シンボルを表すコンステレーションポイントを含むコンステレーション図が、一連の領域へと分割される。各領域は、変調シンボルコンステレーションポイントに関連づけられる。領域は、各領域におけるあらゆるポイントが、その領域のコンステレーションポイントに対するそのようなポイントの距離が他の任意の領域のコンステレーションポイントとそのようなポイントの間の距離以下であるという特性を有するように定義される。コンステレーション図の第１象限をカバーする１組の領域が、図１３に示されている。１２０４において、受信信号コンステレーションポイントが位置づけられる領域が、決定される。受信信号コンステレーションポイントが位置づけられる領域に対応する変調シンボルは、変調シンボルとして選択される。変調シンボルは、整合した変調タイプを有するサブキャリアのサブセット（例えば、ハーフインタレース）についての変調タイプに対して検査されることができる。サブキャリアのサブセットについての変調タイプは、１２０６において決定されることができる。１２０８において、変調シンボルが変調タイプと整合しているかどうかが、決定される。そうである場合、プロセスは終了する。そうでない場合には、変調シンボルは、再評価され、変調タイプと整合した変調シンボルが、１２１０において選択される。変調シンボルが、サブセットの変調タイプと整合していない場合には、変調タイプと整合した変調シンボルが、選択される。
【００７１】
次に図１４を参照すると、整合した変調タイプを有するサブキャリアのサブセット（例えば、ハーフインタレース）についての変調タイプと変調シンボルを決定するための方法１４００が、示されている。１４０２において、信号コンステレーションポイントに最も近い変調シンボルコンステレーションポイントが、各変調タイプについて決定される。各変調タイプについての最も近い変調シンボルコンステレーションポイントが、各サブキャリアについて決定される。例えば、３つの可能な変調タイプ（例えば、１６ＱＡＭ、ＥＲ４およびＥＲ６．２５）が存在する場合、３つの最も近い変調シンボルコンステレーションポイントが、各タイプについて１つ、サブキャリアのサブセットにおけるあらゆるサブキャリアについて決定される。
【００７２】
変調タイプについての最も近い変調シンボルコンステレーションポイントは、受信信号コンステレーションポイントと、可能な変調シンボルコンステレーションポイントとの間の距離を計算することと、最小の距離に対応する変調シンボルコンステレーションポイントを選択することとにより、決定されることができる。代わりに、最も近い変調シンボルコンステレーションポイントは、領域を使用して決定されることもできる。特定の変調タイプについての最も近い変調シンボルコンステレーションポイントは、変調タイプの変調シンボルに対応する領域へとコンステレーション図を区分することにより決定されることができる。領域は、各領域におけるあらゆるポイントが、その領域のコンステレーションポイントに対するそのようなポイントの距離が他の任意の領域のコンステレーションポイントとそのようなポイントの間の距離以下であるという特性を有するように定義される。受信信号コンステレーションポイントが位置づけられる領域に対応する変調シンボルは、その特定の変調タイプについての最も近い変調シンボルコンステレーションポイントとして選択される。
【００７３】
１４０４において、距離が、以上で計算されなかった場合、信号コンステレーションポイントと、最も近い変調シンボルポイントのおのおのとの間の距離は、サブキャリアのサブセットにおける各サブキャリアについて決定される。距離が、以前に計算されていようと、あるいは１４０４において計算されようと、各変調タイプについての距離値は、各サブキャリアに関連づけられることになる。例えば、３つの可能な変調タイプが存在する場合、サブセットの中の各サブキャリアは、それに関連する３つの距離値を有することになる。距離値のおのおのは、３つの可能な変調タイプのうちの１つに対応する。距離値は、変調タイプについての最も近い変調シンボルコンステレーションポイントと、信号コンステレーションポイントとの間の最小距離の二乗として計算されることができる。
【００７４】
１４０６において、メトリクスが、サブセット上の各変調タイプについて生成される。変調タイプについてのメトリクスは、その変調タイプについてのサブセットにおける各サブキャリアについて距離の二乗の値を合計することにより生成されることができる。代わりに、変調タイプについてのメトリクスは、その変調タイプについてのサブセットにおける各サブキャリアについての距離値を平均することにより生成されることもできる。１４０８において、変調タイプは、生成されたメトリクスに基づいて選択されることができる。例えば、メトリクスが、変調タイプについてのサブセットにおける各サブキャリアについて距離の二乗の値を合計することにより生成される場合、選択された変調タイプは、最も小さな値を有するメトリクスに対応するべきである。ひとたび、サブセットについての変調タイプが選択された後に、選択された変調タイプについての最も近い変調シンボルポイントに対応する変調シンボルは、１４１０においてサブキャリアについての変調シンボルとして使用されることができる。
【００７５】
ここにおいて説明されるトランスミッタ評価のシステムおよび方法はまた、時間周波数オフセットによって引き起こされるエラーまたは歪みを低減させ、または除去するように意図された位相補正(phase correction)も含むべきである。位相補正が実行されない場合、チャネル推定値の平均は、不正確になる可能性があり、その結果として、評価メトリクスは、正しくない可能性がある。一般的に、位相補正は、周波数オフセットに起因した位相ランプについて訂正するために、チャネル推定値の平均化に先立って実行されることができる。
【００７６】
次に図１５を参照すると、位相補正を使用してトランスミッタを評価するための方法１５００が、示されている。１５０２において、信号が、トランスミッタから受信される。サブキャリアについてのチャネル推定値が、１５０４において決定されることができる。チャネル推定値は、図７に示されるように知られているシンボル、あるいは図９に示されるように知られていないシンボルを使用して、決定されることができる。１５０６において、位相補正が実行されることができる。位相補正の後に、平均チャネル推定値は、１５０８において決定されることができる。トランスミッタ性能を評価するための１つまたは複数のメトリクスが、１５１０において生成されることができる。例えば、サブキャリアについてのＭＥＲは、チャネル推定値に基づいて決定されることができ、かつ／またはパイロットＭＥＲは、１つまたは複数のパイロットシンボルについて生成されることができる。
【００７７】
次に図１６を参照すると、周波数オフセットを訂正するための方法１６００が、示されている。周波数オフセットを含む受信信号は、次のように書かれることができる。
【数１５】
2009533968.tif 000017
【００７８】
ここで、Ｒｎは、第ｎのサブキャリアの複素振幅であり、Ｎは、サブキャリアの総数である。初期サブキャリアの周波数は、ω０によって表され、ωｓは、サブキャリアスペーシング(subcarrier spacing)を表し、Δωは、周波数オフセットである。一定の周波数オフセットは、時間と共に線形位相変化をもたらすことになる。時間と共に線形に変化する周波数オフセットは、時間にわたって放物線の位相変化をもたらすことになる。一定の、または線形に変化する周波数オフセットは、図１５に示されるように平均化に先立って訂正され得る予測可能な位相変化をもたらす。
【００７９】
線形位相変化は、位相変化の傾き(slope)を計算することにより、一次の位相補正アルゴリズムを使用して訂正されることができる。例えば、位相変化は、次のように計算されることができる。
【数１６】
2009533968.tif 000018
【００８０】
ここで、
【数１７】
2009533968.tif 000019
【００８１】
は、２つの隣接するＯＦＤＭシンボルの間のチャネル推定の位相変化であり、
【数１８】
2009533968.tif 000020
【００８２】
は、初期チャネル推定の位相であり、Ｌは、ＯＦＤＭシンボルの数であり、ＴＯＦＤＭは、周期である。
【００８３】
放物線の位相変化は、放物線関数のパラメータａ、ｂおよびｃを決定するＬＳアルゴリズムを有する二次位相補正を使用して訂正されることができる。推定される位相は、次のように書かれることができる。
【数１９】
2009533968.tif 000021
【００８４】
ここで、ｔは、時間である。推定される位相は、平均化に先立って推定されるチャネルを訂正するために使用されることができる。
【００８５】
しかしながら、周波数オフセットは、必ずしも一定であり、または線形に変化するとは限らない。その結果として、位相変化は、必ずしも線形または放物線であり、予測可能であるとは限らない。可変な周波数オフセットについて訂正するための可能な１つのソリューション(solution)は、存続時間をセグメントに分離することと、次いで各セグメントについての位相変化を推定することとを含む。結果として、図７に関して説明されるＭＥＲｋ式における推定される雑音分散は、次のように修正されるべきである。
【数２０】
2009533968.tif 000022
【００８６】
ここで、Ｎは、セグメントの数である。
【００８７】
受信信号から導き出される各ＯＦＤＭシンボルの各チャネルについての雑音項は、２つの直交次元：振幅次元と位相次元とに分解されることができる。振幅次元における雑音項は、追加ホワイトガウス雑音と考えられることができる。位相方向における雑音項は、追加ホワイトガウス雑音（ＡＷＧＮ）と、周波数オフセットに由来する歪みの和と考えられることができる。周波数オフセットによって引き起こされる歪みは、除去されるべきである。しかしながら、位相次元におけるＡＷＧＮの成分は、保持されるべきである。
【００８８】
図１６に示される方法１６００において示されるように、１６０２において、時間が分割されることになるセグメントの数が、決定される。１６０４において、周波数オフセットに起因した位相変化が、セグメントについて推定される。セグメントは、１６０６において、第１または第２の順序訂正アルゴリズムのいずれかを使用して訂正される。１６０８において、訂正すべき追加のセグメントが存在するかどうかについての決定が行われる。存在する場合、プロセスは、次のセグメントについての位相補正を決定するために１６０４へと戻る。そうでない場合には、プロセスは終了する。
【００８９】
１つの極端な場合においては、振幅次元における雑音の分散が、位相次元における雑音の分散のそれに等しい場合、セグメントの最大数は、処理されるＯＦＤＭシンボルの数に等しい。その結果として、位相次元における雑音は、周波数オフセットに起因した歪みと同様に除去されることになる。結果として、位相次元における雑音を含むＭＥＲの真の値は、生成されたＭＥＲの値から定数（例えば、３．０１ｄＢ）を差し引いたものに等しくなる。
【００９０】
ここにおいて説明される１つまたは複数の実施形態に従って、推論(inference)が、伝送フォーマット、周波数などに関して、行われることができることが理解されるであろう。ここにおいて使用されるように、「推測する(infer)」、または「推論する(inference)」という用語は、一般にイベントおよび／またはデータを経由して取り込まれるような１組の観察から、システム、環境、および／またはユーザの状態を論理的に考え、あるいは推論するプロセスを意味する。推論は、特定のコンテキストまたはアクションを識別するために使用されることができ、あるいは例えば状態上の確率分布を生成することができる。推論は、確率的とすることができ、すなわちデータおよびイベントの考察に基づいた関心のある状態上の確率分布の計算とすることができる。推論は、１組のイベントおよび／またはデータから、より高レベルのイベントを構成するために使用される技法を意味することもできる。そのような推論は、それらのイベントが、近い時間的近接度で相関づけられるか否かにかかわらず、そしてそれらのイベントおよびデータが、１つまたは複数のイベントおよびデータのソースに由来するかどうかにかかわらず、１組の観察されたイベント、および／または記憶されたイベントデータからの新しいイベントまたはアクションの構築をもたらす。
【００９１】
一例によれば、以上に提示される１つまたは複数の方法は、位相補正について利用するためにセグメントの数に関して推論を行うことを含むことができる。推論は、トランスミッタを評価するために生成すべきメトリクスのタイプおよび数に関して行われることもできる。さらに、推論は、ユーザに対して表示するデータおよびフォーマットに関して行われることができる。
【００９２】
図１７は、通信環境においてトランスミッタ性能を監視することを提供するシステム１７００の説明図である。システム１７００は、１つまたは複数の受信アンテナ１７０６を経由して１つまたは複数のユーザデバイス１７０４から信号（単数または複数）を受信するレシーバ１７１０を有する基地局１７０２を備え、そして１つまたは複数の送信アンテナ１７０８を介して１つまたは複数のユーザデバイス１７０４に対して送信する。１つまたは複数の実施形態においては、受信アンテナ１７０６と送信アンテナ１７０８は、単一の組のアンテナを使用してインプリメントされることができる。レシーバ１７１０は、受信アンテナ１７０６からの情報を受信することができ、そして受信情報を復調する復調器１７１２に動作的に関連づけられる。レシーバ１７１０は、例えば、当業者によって理解されることになるように、レーキレシーバ(Rake receiver)（例えば、複数のベースバンド相関器、...を使用してマルチパス信号成分を個別に処理する技法）、ＭＭＳＥベースのレシーバ、あるいはそれに割り当てられたユーザデバイスを分離するための他の何らかの適切なレシーバとすることができる。様々な態様によれば、複数のレシーバ（例えば、受信アンテナ当たりに１つ）が使用されることができ、そのようなレシーバは、ユーザデータの改善された推定値を供給するために互いに通信することができる。復調されたシンボルは、プロセッサ１７１４によって解析される。プロセッサ１７１４は、レシーバコンポーネント１７１４によって受信される情報を解析すること、および／またはトランスミッタ１７１４による送信のための情報を生成することに専用にされたプロセッサとすることができる。プロセッサ１７１４は、基地局１７０２の１つまたは複数のコンポーネントを制御するプロセッサ、および／またはレシーバ１７１０によって受信される情報を解析し、トランスミッタ１７２０による送信のための情報を生成し、基地局１７０２の１つまたは複数のコンポーネントを制御するプロセッサとすることができる。各アンテナについてのレシーバ出力は、レシーバ１７１０および／またはプロセッサ１７１４によって一緒に処理されることができる。変調器１７１８は、送信アンテナ１７０８を介したユーザデバイス１７０４に対するトランスミッタ１７２０による送信のための信号を多重化することができる。プロセッサ１７１４は、１つまたは複数のそれぞれのユーザデバイス１７０４に関連するＦＬＯ情報を処理することを容易にすることができるＦＬＯチャネルコンポーネント１７２２に結合されることができる。
【００９３】
変調器１７１８は、送信アンテナ１７０８を介したユーザデバイス１７０４に対するトランスミッタ１７２０による送信のための信号を多重化することができる。ＦＬＯチャネルコンポーネント１７２２は、ユーザデバイス１７０４との通信のための与えられた送信ストリームについてのアップデートされたデータストリームに関連した信号に対して情報を追加することができ、これは、新しい最適なチャネルが識別され、肯定応答されていることを示す表示を提供するためにユーザデバイス１７０４に対して送信されることができる。
【００９４】
基地局１７０２は、トランスミッタモニタ１７２４を含むこともできる。トランスミッタモニタ１７２４は、トランスミッタ出力および／またはトランスミッタアンテナ出力をサンプリングし、トランスミッタ１７２０の性能を評価することができる。トランスミッタモニタ１７２４は、プロセッサ１７１４に結合されることができる。代わりに、トランスミッタモニタ１７２４は、トランスミッタ出力を処理するための別個のプロセッサを含むことができる。さらに、トランスミッタモニタ１７２４は、基地局１７０２とは独立にすることができる。
【００９５】
基地局１７０２は、プロセッサ１７１４に動作的に結合され、コンステレーション領域、変調シンボル、および／またはここにおいて述べられている様々なアクションおよびファンクションを実行することに関連した他の適切な任意の情報に関連した情報を記憶することができるメモリ１７１６をさらに備えることができる。ここにおいて説明されるデータストア（例えば、メモリ）コンポーネントは、揮発性メモリまたは不揮発性メモリのいずれかとすることができ、あるいは揮発性と不揮発性の両方のメモリを含むことができることが理解されるであろう。例証として、限定するものではないが、不揮発性メモリは、読取り専用メモリ(read only memory)（ＲＯＭ）、プログラマブルＲＯＭ（programmable ROM）（ＰＲＯＭ）、電気的プログラマブルＲＯＭ(electrically programmable ROM)（ＥＰＲＯＭ）、電気的消去可能ＲＯＭ(electrically erasable ROM)（ＥＥＰＲＯＭ）、またはフラッシュメモリを含むことができる。揮発性メモリは、ランダムアクセスメモリ(random access memory)（ＲＡＭ）を含むことができ、これは外部キャッシュメモリとしての役割を果たす。例証として限定するものではないが、ＲＡＭは、シンクロナスＲＡＭ(synchronous RAM)（ＳＲＡＭ）、ダイナミックＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ  ＳＤＲＡＭ）、拡張ＳＤＲＡＭ(enhanced SDRAM)（ＥＳＤＲＡＭ）、シンクリンクＤＲＡＭ(Synchlink DRAM)（ＳＬＤＲＡＭ）、ダイレクトラムバスＲＡＭ(direct Rambus RAM)（ＤＲＲＡＭ）など多数の形態で使用可能である。主題のシステムおよび方法のメモリ１７１６は、それだけに限定されることなく、これらおよび他の適切な任意のタイプのメモリを備えるように意図される。
【００９６】
図１８は、例示のワイヤレス通信システム１８００を示している。ワイヤレス通信システム１８００は、簡潔さのために１つの基地局と１つのユーザデバイスとを示す。しかしながら、そのシステムは、複数の基地局、および／または複数のユーザデバイスを含むことができ、ここで追加の基地局および／またはユーザデバイスは、以下で説明される例示の基地局とユーザデバイスと実質的に類似しており、または異なるものとすることができることが理解されるべきである。さらに、基地局および／またはユーザデバイスは、ここにおいて説明されるシステム（図１、３〜４および１８）および／または方法（図７〜１２、および１４〜１６）を使用することができることも理解されるべきである。
【００９７】
次に図１８を参照すると、ダウンリンク上で、アクセスポイント１８０５において、送信（ＴＸ）データプロセッサ１８１０は、トラフィックデータを受信し、フォーマットし、符号化し、インターリーブし、そして変調し（またはシンボルマッピングし）、そして変調シンボル（「データシンボル」）を供給する。シンボル変調器１８１５は、データシンボルおよびパイロットシンボルを受信し処理し、そしてシンボルのストリームを供給する。シンボル変調器１８１５は、データシンボルおよびパイロットシンボルを多重化し、それらをトランスミッタユニット(transmitter unit)（ＴＭＴＲ）１８２０へと供給する。各送信シンボルは、データシンボル、パイロットシンボル、またはゼロの信号値とすることができる。パイロットシンボルは、各シンボル期間において絶えず送信されることができる。パイロットシンボルは、周波数分割多重化されたもの(frequency division multiplexed)（ＦＤＭ）、直交周波数分割多重化されたもの(orthogonal frequency division multiplexed)（ＯＦＤＭ）、時分割多重化されたもの(time division multiplexed)（ＴＤＭ）、周波数分割多重化されたもの（ＦＤＭ）、あるいは符号分割多重化されたもの(code division multiplexed)（ＣＤＭ）とすることができる。
【００９８】
ＴＭＴＲ１８２０は、シンボルのストリームを受信し、１つまたは複数のアナログ信号へと変換し、ワイヤレスチャネル上の送信に適したダウンリンク信号を生成するために、さらにそれらのアナログ信号を条件づける（例えば、増幅し、フィルタをかけ、そして周波数アップコンバートする）。次いでダウンリンク信号は、アンテナ１８２５を介してユーザデバイスへと送信される。ユーザデバイス１８３０において、アンテナ１８３５は、ダウンリンク信号を受信し、受信信号をレシーバユニット(receiver unit)（ＲＣＶＲ）１８４０へと供給する。レシーバユニット１８４０は、受信信号を条件づけ（例えば、フィルタをかけ、増幅し、そして周波数ダウンコンバートし）、そしてサンプルを取得するために条件づけられた信号をデジタル化する。シンボル復調器１８４５は、チャネル推定のために受信パイロットシンボルを復調し、プロセッサ１８５０へと供給する。シンボル復調器１８４５は、さらにダウンリンクについての周波数応答推定値をプロセッサ１８５０から受信し、データシンボル推定値（これは、送信データシンボルの推定値である）を取得するために受信データシンボル上でデータ復調を実行し、そしてデータシンボル推定値をＲＸデータプロセッサ１８５５へと供給し、このＲＸデータプロセッサは、送信されたトラフィックデータを回復するために、データシンボル推定値を復調し（すなわち、シンボル逆マッピングし）、デインターリーブし、そして復号する。シンボル復調器１８４５とＲＸデータプロセッサ１８５５による処理は、アクセスポイント１８０５におけるそれぞれシンボル変調器１８１５とＴＸデータプロセッサ１８１０による処理に対して相補的である。
【００９９】
アップリンク上で、ＴＸデータプロセッサ１８６０は、トラフィックデータを処理し、データシンボルを供給する。シンボル変調器１８６５は、データシンボルを受信し、パイロットシンボルと多重化し、変調を実行し、シンボルのストリームを供給する。次いでトランスミッタユニット１８７０は、アップリンク信号を生成するためにシンボルのストリームを受信し、処理し、このアップリンク信号は、アンテナ１８３５によってアクセスポイント１８０５へと送信される。
【０１００】
アクセスポイント１８０５において、ユーザデバイス１８３０からのアップリンク信号は、アンテナ１８２５によって受信され、サンプルを取得するためにレシーバユニット１８７５によって処理される。次いでシンボル復調器１８８０は、サンプルを処理し、受信パイロットシンボルとアップリンクについてのデータシンボル推定値を供給する。ＲＸデータプロセッサ１８８５は、ユーザデバイス１８３０によって送信されるトラフィックデータを回復するためにデータシンボル推定値を処理する。プロセッサ１８９０は、アップリンク上で送信する各アクティブユーザデバイスについてチャネル推定を実行する。複数のユーザデバイスは、アップリンク上でそれらのそれぞれ割り当てられた組のパイロットサブキャリア上において同時にパイロットを送信することができ、ここでパイロットサブキャリアの組は、インタレースされることができる。
【０１０１】
プロセッサ１８９０および１８５０は、それぞれアクセスポイント１８０５およびユーザデバイス１８３０においてオペレーションを指示する（例えば、制御し、調整し、管理するなど）。それぞれのプロセッサ１８９０と１８５０とは、プログラムコードおよびデータを記憶するメモリユニット（図示されず）に関連づけられることができる。プロセッサ１８９０および１８５０は、ここにおいて説明される方法のうちのどれでも利用することができる。それぞれのプロセッサ１８９０と１８５０とは、それぞれアップリンクとダウンリンクについての周波数とインパルスの応答推定値を導き出すために計算を実行することもできる。
【０１０２】
ソフトウェアインプリメンテーションでは、ここにおいて説明される技法は、ここで説明される機能を実行するモジュール（例えば、プロシージャ、ファンクションなど）を用いてインプリメントされることができる。ソフトウェアコードは、メモリユニットに記憶され、プロセッサによって実行されることができる。メモリユニットは、プロセッサの内部に、あるいはプロセッサの外部でインプリメントされることができ、この場合には、メモリユニットは、当技術分野において知られているような様々な手段を経由してプロセッサに通信的に結合されることができる。
【０１０３】
次に図１９を参照すると、ここにおいて提示される１つまたは複数の態様に従ってワイヤレス通信環境におけるトランスミッタ性能の評価を容易にするためのシステム１９００が、示されている。システム１９００は、トランスミッタ信号のスーパーフレームについての複数のサブキャリアのおのおのについて平均周波数ドメインチャネル推定値を生成するための手段１９０２を含むことができる。システム１９００は、その平均周波数ドメインチャネル推定値に基づいてパイロットシンボルに関連するサブキャリアについてのパイロットシンボルの雑音またはエラーを決定するための手段１９０４を含むこともできる。さらに、システム１９００は、パイロットシンボルに関連するサブキャリアの組のおのおのについてパイロットシンボル雑音に少なくとも部分的に基づいてパイロットシンボルのおのおのについての平均雑音分散を決定するための手段１９０６を含むこともできる。システム１９００は、パイロットシンボルについての平均雑音分散と、平均周波数ドメインチャネル推定値とに少なくとも部分的に基づいてパイロット変調エラー率を生成するための手段も含んでいる。
【０１０４】
上記に説明されてきたものは、１つまたは複数の実施形態の例を含んでいる。前述の実施形態を説明する目的のためにコンポーネントまたは方法の、あらゆる考えられる組合せについて説明することは、もちろん可能ではないが、当業者は、様々な実施形態のさらなる多数の組合せ、および置換が可能であることを認識することができる。したがって、説明される実施形態は、添付の特許請求の範囲の精神および範囲内に入るそのようなすべての変更、修正および変形を包含するように意図されている。さらに、用語「含む(includes)」が、詳細な説明または特許請求の範囲のいずれかにおいて使用される限りにおいては、そのような用語は、用語「備えている(comprising)」が請求項においてトランジショナルワード(transitional word)として使用されるときに解釈されるように、用語「備えている(comprising)」と同様な方法で包含的であるように意図されている。
【図面の簡単な説明】
【０１０５】
【図１】ここにおいて提示される１つまたは複数の態様によるトランスミッタ評価システムの説明図である。
【図２】ここにおいて提示される１つまたは複数の態様によるワイヤレス通信システムの説明図である。
【図３】ここにおいて提示される１つまたは複数の態様によるワイヤレス通信システムの説明図である。
【図４】ここにおいて提示される１つまたは複数の態様によるトランスミッタ評価システムの説明図である。
【図５】ワイヤレスシステムについての例示のデータ構造および信号の説明図である。
【図６】測定信号と送信信号との間の違いを示すコンステレーション図である。
【図７】ここにおいて提示される１つまたは複数の態様に従ってトランスミッタを評価するための方法を示す図である。
【図８】ここにおいて提示される１つまたは複数の態様に従ってパイロットシンボルについての変調エラー率を生成するための方法を示す図である。
【図９】ここにおいて提示される１つまたは複数の態様に従ってトランスミッタを評価するための方法を示す図である。
【図１０】ここにおいて提示される１つまたは複数の態様に従って粗いチャネル推定値を生成するための方法を示す図である。
【図１１】ここにおいて提示される１つまたは複数の態様に従って変調シンボルを決定するための方法を示す図である。
【図１２】ここにおいて提示される１つまたは複数の態様に従って変調シンボルを決定するための方法を示す図である。
【図１３】ここにおいて提示される１つまたは複数の態様に従ってコンステレーション図の複数の領域への分割を示す図である。
【図１４】ここにおいて提示される１つまたは複数の態様に従ってトランスミッタ評価中に変調シンボルを決定するための方法を示す図である。
【図１５】ここにおいて提示される１つまたは複数の態様に従って位相補正を使用してトランスミッタを評価するための方法を示す図である。
【図１６】ここにおいて提示される１つまたは複数の態様に従って位相補正を実行するための方法を示す図である。
【図１７】ここにおいて提示される様々な態様に従ってワイヤレス通信環境におけるトランスミッタ性能を監視するシステムの説明図である。
【図１８】ここにおいて説明される様々なシステムおよび方法に関連して使用されることができるワイヤレス通信環境の説明図である。
【図１９】ここにおいて提示される様々な態様に従ってワイヤレス通信環境におけるトランスミッタ性能を評価するシステムの説明図である。
【図１】
2009533968.tif 000023
【図２】
2009533968.tif 000024
【図３】
2009533968.tif 000025
【図４】
2009533968.tif 000026
【図５】
2009533968.tif 000027
【図６】
2009533968.tif 000028
【図７】
2009533968.tif 000029
【図８】
2009533968.tif 000030
【図９】
2009533968.tif 000031
【図１０】
2009533968.tif 000032
【図１１】
2009533968.tif 000033
【図１２】
2009533968.tif 000034
【図１３】
2009533968.tif 000035
【図１４】
2009533968.tif 000036
【図１５】
2009533968.tif 000037
【図１６】
2009533968.tif 000038
【図１７】
2009533968.tif 000039
【図１８】
2009533968.tif 000040
【図１９】
2009533968.tif 000041
【国際調査報告】
2009533968.tif 000042
2009533968.tif 000043
2009533968.tif 000044